(57)【要約】【課題】ホログラムを備えた被検査物の真偽のための検査を迅速かつ確実に行えるものでありながら、コスト面において有利な検査器を提供する。【解決手段】光を照射するための光源４と、この光源４からの光を下方に位置する被検査物に備えたホログラムに照射し、かつ、該ホログラムからの異なる方向の反射光を取り込んで同一方向又はほぼ同一方向となる上方へ屈折させるための反射型プリズム７とをケース３に備えた。【選択図】図２
2006350995.tif 000002
【特許請求の範囲】
【請求項１】
光を照射するための光源と、この光源からの光を下方に位置する紙幣に備えたホログラムに照射し、かつ、該ホログラムからの異なる２方向の反射光を取り込んで同一方向又はほぼ同一方向となる上方へ屈折させるための反射型プリズムとをケースに備え、該ケースの該反射型プリズムに対応する上下面に光透過部を備えてなる紙幣検査器。
【請求項２】
前記光源からの光を前記反射型プリズムの水平方向一端から他端に向けて照射するために該光源を配置し、前記反射型プリズムの他端から水平方向に延びる延出部を設け、前記延出部の下面に光反射部を備え、かつ、該延出部の上面に対応する前記ケースの部位に光透過部を備えてなる請求項１に記載の紙幣検査器。
【請求項３】
前記光源が白色の発光ダイオードからなり、該発光ダイオードに電力供給を行う電池を収納する電池収納部を前記ケースに備えさせてなる請求項１又は２に記載の紙幣検査器。
【請求項４】
前記発光ダイオードの発光部が入り込むための凹部を前記反射型プリズムに形成してなる請求項３に記載の紙幣検査器。
【発明の詳細な説明】
【技術分野】
【０００１】
本発明は、紙幣に備える凹凸状に形成されたホログラムに光を照射し、そのホログラムからの異なる２方向の反射光を取り込んでホログラムに形成されている２つの画像を上方から同時に視認することができるようにすることによって、紙幣の真偽を直ちに把握することができる紙幣検査器に関する。尚、ホログラムを備えるものであれば、紙幣以外の紙製又はプラスチック製のカードなどでもよい。
【背景技術】
【０００２】
上記紙幣検査器としては、紙幣を把持する把持部と、把持部の背面に設けられ、把持された紙幣を照射する発光部と、把持部における紙幣の把持状態を検出し、この検出結果に基づいて発光部を発光させるスイッチ部とを設けて構成されている。この検査器は、把持部に紙幣を把持させることにより、スイッチ部がこれを検出し、発光部を自動的に発光させ、透視部を通して透かしがあるかどうかの確認を目視により行って、紙幣の真偽を判断することができるようにしている（例えば、特許文献１参照）。
【特許文献１】特開２００５−１４１７８３号公報
【発明の開示】
【発明が解決しようとする課題】
【０００３】
ところで、近年透かしのある偽札が出回ってきているため、その偽札を上記紙幣検査器で検査しても本物であると誤判断してしまうことがあり、実際には使用し難いものであった。そのため、ホログラムを備えた新札が登場したのであるが、新札のホログラムを確認するためには、角度を変えてホログラムの凹凸部を見ることによって、複数の画像を確認して紙幣の真偽を確認することになるが、２つの所定の角度にそれぞれ紙幣を直ちに向けて確認することが難しく、紙幣の真偽確認をする時間が多くかかるものであった。
又、紙幣の把持状態を検出する検出センサの他、この検出センサからの検出結果に基づいて発光部を発光させるスイッチ部などが必要になり、コスト高を招くものであった。
【０００４】
本発明が前述の状況に鑑み、解決しようとするところは、ホログラムを備えた紙幣の真偽のための検査を迅速かつ確実に行えるものでありながら、コスト面において有利な紙幣検査器を提供する点にある。
【課題を解決するための手段】
【０００５】
本発明は、前述の課題解決のために、光を照射するための光源と、この光源からの光を下方に位置する紙幣に備えたホログラムに照射し、かつ、該ホログラムからの異なる２方向の反射光を取り込んで同一方向又はほぼ同一方向となる上方へ屈折させるための反射型プリズムとをケースに備え、該ケースの該反射型プリズムに対応する上下面に光透過部を備えて、紙幣検査器を構成した。
紙幣の上方に紙幣検査器を配置することによって、光源からの光が反射型プリズム、ケースの光透過部を介して紙幣のホログラムに照射し、ホログラムの凹凸面にて反射された複数の方向の反射光が反射型プリズムに取り込まれ、反射型プリズム同一方向又はほぼ同一方向となる上方へ屈折させられることにより、ケースの光透過部を介してホログラムの２つの画像を紙幣検査器の上方から一挙に視認することができる。
【０００６】
前記光源からの光を前記反射型プリズムの水平方向一端から他端に向けて照射するために該光源を配置し、前記反射型プリズムの他端から水平方向に延びる延出部を設け、前記延出部の下面に光反射部を備え、かつ、該延出部の上面に対応する前記ケースの部位に光透過部を備えてもよい。
【０００７】
前記光源が白色の発光ダイオードからなり、該発光ダイオードに電力供給を行う電池を収納する電池収納部を前記ケースに備えさせてもよい。
【０００８】
前記発光ダイオードの発光部が入り込むための凹部を前記反射型プリズムに形成してもよい。
【発明の効果】
【０００９】
光を照射するための光源からの光を下方に位置する紙幣に備えたホログラムに照射し、ホログラムからの異なる２方向の反射光を取り込んで同一方向又はほぼ同一方向となる上方へ屈折させるための反射型プリズムをケースに備えさせるだけで、ホログラムの２つの画像をケースの上方から迅速かつ確実に視認することができ、ホログラムを備えた紙幣の真偽のための検査を迅速かつ確実に行える。しかも、センサやスイッチ部などが不要になり、コストの低減を図ることができる。
【００１０】
光源からの光を反射型プリズムの水平方向一端から他端に向けて照射するために光源を配置し、反射型プリズムの他端から水平方向に延びる延出部を設け、延出部の下面に光反射部を備え、かつ、延出部の上面に対応するケースの部位に光透過部を備えることによって、延出部の上方に紙幣を配置することで紙幣の透かしをも確認することができ、紙幣の真偽検査をさらに確実に行うことができる。
【００１１】
光源が白色の発光ダイオードからなり、発光ダイオードに電力供給を行う電池を収納する電池収納部をケースに備えさせることによって、どこにでも紙幣検査器を持っていって紙幣の真偽検査を行うことができる。
【００１２】
発光ダイオードの発光部が入り込むための凹部を反射型プリズムに形成することによって、反射型プリズムに対する発光ダイオードの位置決めを特別な部材を用いなくても行うことができるだけでなく、発光ダイオードの発光面を反射型プリズムにできるだけ近づけて配置することができる。
【発明を実施するための最良の形態】
【００１３】
図１及び図２（ａ），（ｂ）に、直方体形状の紙幣の真偽を検査するための紙幣検査器を示しているが、形状はどのような形状であってもよい。この紙幣検査器は、上下の分割ケース部１，２からなるケース３内に、光を照射するための光源４と、この光源４からの光を下方に位置する紙幣５に備えたホログラム６（図５参照）に照射し、かつ、該ホログラム６からの異なる２方向の反射光を取り込んで同一方向又はほぼ同一方向となる上方へ屈折させるための反射型プリズム７とを備えている。ここでは、紙幣に付いてのみ説明しているが、ホログラムを備えたカードであってもよく、ホログラムを備えたものであればどのようなものであってもよい。前記ケース３の該反射型プリズム７に対応する上下面に光透過部１Ｂ，２Ｂを備えている。この上側の光透過部１Ｂは、上側の分割ケース部１の上面に形成された開口を閉じることによって、開口からの塵の侵入を阻止するための透明なプラスチック製（ガラスでもよい）の板部材からなっているが、省略して実施することもできる。又、下側の光透過部２Ｂは、下側の分割ケース部２の下面に形成された開口からなっているが、上側の光透過部１Ｂと同様に板部材を取り付けて実施してもよい。
【００１４】
図１及び図２（ｂ）に示すように、前記光源４が水平方向に並べて設けられた一対の砲弾型（チップ型でもよい）で白色の発光ダイオード４Ａ，４Ｂからなり、発光ダイオード４Ａ，４Ｂの発光部が入り込むための一対の凹部７ａ，７ｂを前記反射型プリズム７の端部７Ｃに形成して、反射型プリズム７に対する発光ダイオード４Ａ，４Ｂの位置決めを凹部７ａ，７ｂにて行えるようにしているが、他の方法にて発光ダイオード４Ａ，４Ｂを位置決めするようにしてもよい。又、前記反射型プリズム７の水平方向一端から他端に向けて照射するために該光源４を前記のように一端に形成された凹部７ａ，７ｂに入り込ませて配置し、前記反射型プリズム７の他端から発光ダイオード４Ａ，４Ｂとは反対方向の水平方向に延びる延出部８を設け、前記延出部８の下面に白色の塗料又は銀色の塗料を塗布したり、アルミニウム等が蒸着する、あるいは鏡面加工することにより光反射部８Ａを備え、かつ、該延出部８の上面に対応する前記上側の分割ケース部１の部位に光透過部１Ａを備えて、図５に示すように、紙幣５の下側に紙幣検査器を配置することにより、発光ダイオード４Ａ，４Ｂからの光を延出部８の上面８Ｂから上側ケース部１の光透過部１Ａを通して紙幣５に照射することにより透かしＡがあるかどうかを確認することができるようにしている。ここでは、消費電力及び耐久性の点で有利な発光ダイオード４Ａ，４Ｂを例に挙げているが、豆球や蛍光ランプなどの他の光源であってもよい。図１に示す８Ｈ，８Ｈは、延出部８の端部下面から下方に延びる棒状部であり、これらの先端を下側の分割ケース部２に備えた筒部（係止部）２Ｄ（図では一方のみ図示している）に差し込むことにより、延出部８を下側の分割ケース部２に係止固定することができるようになっている。
【００１５】
前記延出部８の下面８Ａを、反射型プリズム７側の一端から他端（発光ダイオード４Ａ，４Ｂから離れる側端）に向かうほど上方に位置するように加工して、発光ダイオード４Ａ，４Ｂからの光をできる限り減衰しないように延出部８を薄型に構成している。又、下面８Ａを角度の異なる多数のほぼフラットな面にて構成することによって、光が分散し易いようにしている。又、前記上側の分割ケース部１を光が透過可能な白色で半透明なものから構成して、内部の配線などをできるだけ見えにくくしているだけでなく、延出部８の上面８Ｂからの光を拡散して紙幣に均一に光を照射することができるようにしているが、場合によっては透明なものから構成することもできる。
【００１６】
前記反射型プリズム７は、石英やガラスなどから形成され、下面がほぼフラット面で、かつ、上面が２つの傾斜面７Ａ，７Ｂを備えた図３にも示すように断面形状が山形状に形成されている。従って、図２（ａ），（ｂ）に示すように、紙幣５の上面にそれのホログラム６と下側の分割ケース部２の開口２Ｂとが一致するように紙幣検査器を載置し、発光ダイオード４Ａ，４Ｂを発光状態にすることによって、図３に示すように、発光ダイオード４Ａ，４Ｂからの光が反射型プリズム７の下面からホログラム６に照射され、ホログラム６に形成の凹凸面のうちの傾斜方向が異なる２つの傾斜面のうちの一方の同一傾斜面から反射した光（図３では右側に存在する左下がり傾斜面６Ａから左斜め上方に反射した光を示している）及び他方の同一傾斜面から反射した光（図３では左側に存在する右下がり傾斜面６Ｂから右斜め上方に反射した光を示している）が反射型プリズム７の下面７Ｄから入射し、２つの傾斜面７Ａ，７Ｂで屈折して、上方へ光の向きが変更され、図４に示すように、左側に「１００００」の画像９と右側に「日」の画像１０とを光透過部１Ｂを通して一挙に視認することができるようになっている。前記傾斜面７Ａ，７Ｂの傾斜角度は、ホログラム６の凹凸の傾斜角度によって変更することになる。
【００１７】
前記ケース３を構成する下側の分割ケース部２の下面に、電池１１を収納する電池収納部１２を上方に突出する状態で形成している。そして、電池１１を入れた電池収納部１２を閉じる着脱自在な蓋１３を備えさせている。前記電池収納部１２を備えさせることによって、紙幣検査器をどこにでも持ち運ぶことができる利点があるが、他の電源を接続可能に構成して実施することもできる。図示していないが、紙幣検査器に、発光ダイオード４Ａ，４ＢをＯＮ−ＯＦＦするスイッチを設けて実施することになる。
【００１８】
上記のように構成した紙幣検査器は、図２（ａ），（ｂ）及び図４で示したホログラム６の２つの画像を視認することができる他、図５で示した紙幣５の透かしを視認することもできるものであるが、延出部８を省略してホログラム６の２つの画像を視認することのみ行える紙幣検査器であってもよい。この場合、さらに小型化を実現することができる。
【図面の簡単な説明】
【００１９】
【図１】は、紙幣検査器の分解斜視図である。
【図２】は、紙幣検査器を紙幣に載置している状態を示し、（ａ）はそれの斜視図、（ｂ）はそれの縦断面図である。
【図３】は、ホログラムからの反射光が反射型プリズムに入射している原理を示す断面図である。
【図４】は、光透過部にてホログラムの２つの画像を視認できる状態を示す紙幣検査器の一部を省略した平面図である。
【図５】は、紙幣検査器に紙幣を載置して紙幣の透かしを視認している状態を示す斜視図である。
【符号の説明】
【００２０】
１Ａ  光透過部
１Ｂ  光透過部
１，２  分割ケース部
２Ｂ  開口（光透過部）
３  ケース
４  光源
４Ａ，４Ｂ 発光ダイオード
５  紙幣
６  ホログラム
６Ａ  傾斜面
６Ｂ  傾斜面
７Ｄ  下面
７Ｃ  端部
７ａ，７ｂ  凹部
７Ａ，７Ｂ  傾斜面
７  反射型プリズム
８  延出部
８Ａ  下面（光反射部）
８Ｂ  上面
９  画像
１０  画像
１１  電池
１２  電池収納部
１３  蓋
【図１】
2006350995.tif 000003
【図２】
2006350995.tif 000004
【図３】
2006350995.tif 000005
【図４】
2006350995.tif 000006
【図５】
2006350995.tif 000007
【手続補正書】
【提出日】平成18年1月19日(2006.1.19)
【手続補正１】
【補正対象書類名】特許請求の範囲
【補正対象項目名】全文
【補正方法】変更
【補正の内容】
【特許請求の範囲】
【請求項１】
光を照射するための光源と、この光源からの光を下方に位置する被検査物に備えたホログラムに照射し、かつ、該ホログラムからの異なる方向の反射光を取り込んで同一方向又はほぼ同一方向となる上方へ屈折させるための反射型プリズムとをケースに備えていることを特徴とする検査器。
【請求項２】
前記光源からの光を前記反射型プリズムの水平方向一端から他端に向けて照射するために該光源を配置し、前記反射型プリズムの他端から水平方向に延びる延出部を設け、前記延出部の下面に光反射部を備え、かつ、該延出部の上面に対応する前記ケースの部位に光透過部を備えてなる請求項１に記載の検査器。
【請求項３】
前記光源が白色の発光ダイオードからなり、該発光ダイオードに電力供給を行う電池を収納する電池収納部を前記ケースに備えさせてなる請求項１又は２に記載の検査器。
【請求項４】
前記発光ダイオードの発光部が入り込むための凹部を前記反射型プリズムに形成してなる請求項３に記載の検査器。
【手続補正３】
【補正対象書類名】明細書
【補正対象項目名】０００１
【補正方法】変更
【補正の内容】
【０００１】
本発明は、紙幣に備える凹凸状に形成されたホログラムに光を照射し、そのホログラムからの異なる方向の反射光を取り込んでホログラムに形成されている複数の画像を上方から同時に視認することができるようにすることによって、紙幣の真偽を直ちに把握することができる紙幣検査器に関する。尚、ホログラムを備えるものであれば、紙幣以外の紙製又はプラスチック製のカードなどでもよい。
【手続補正４】
【補正対象書類名】明細書
【補正対象項目名】０００２
【補正方法】変更
【補正の内容】
【０００２】
従来の紙幣検査器としては、紙幣を把持する把持部と、把持部の背面に設けられ、把持された紙幣を照射する発光部と、把持部における紙幣の把持状態を検出し、この検出結果に基づいて発光部を発光させるスイッチ部とを設けて構成されているものが挙げられる。この検査器は、把持部に紙幣を把持させることにより、スイッチ部がこれを検出し、発光部を自動的に発光させ、透視部を通して透かしがあるかどうかの確認を目視により行って、紙幣の真偽を判断することができるようにしている（例えば、特許文献１参照）。
【手続補正５】
【補正対象書類名】明細書
【補正対象項目名】０００３
【補正方法】変更
【補正の内容】
【０００３】
ところで、近年透かしのある偽札が出回ってきているため、その偽札を上記従来の紙幣検査器で検査しても本物であると誤判断してしまうことがあり、実際には使用し難いものであった。そのため、ホログラムを備えた新札が登場したのであるが、新札のホログラムを確認するためには、角度を変えてホログラムの凹凸部を見ることによって、複数の画像を確認して紙幣の真偽を確認することになるが、２つの所定の角度にそれぞれ紙幣を直ちに向けて確認することが難しく、紙幣の真偽確認をする時間が多くかかるものであった。
又、紙幣の把持状態を検出する検出センサの他、この検出センサからの検出結果に基づいて発光部を発光させるスイッチ部などが必要になり、コスト高を招くものであった。
【手続補正６】
【補正対象書類名】明細書
【補正対象項目名】０００４
【補正方法】変更
【補正の内容】
【０００４】
本発明が前述の状況に鑑み、解決しようとするところは、ホログラムを備えた被検査物の真偽のための検査を迅速かつ確実に行えるものでありながら、コスト面において有利な検査器を提供する点にある。
【手続補正７】
【補正対象書類名】明細書
【補正対象項目名】０００５
【補正方法】変更
【補正の内容】
【０００５】
本発明に係る検査器は、前述の課題解決のために、光を照射するための光源と、この光源からの光を下方に位置する被検査物に備えたホログラムに照射し、かつ、該ホログラムからの異なる方向の反射光を取り込んで同一方向又はほぼ同一方向となる上方へ屈折させるための反射型プリズムとをケースに備える構成とした。
被検査物の上方に検査器を配置することによって、光源からの光が反射型プリズムを介して被検査物のホログラムに照射し、ホログラムの凹凸面にて反射された複数の方向の反射光が反射型プリズムに取り込まれ、反射型プリズム同一方向又はほぼ同一方向となる上方へ屈折させられることにより、ホログラムの複数の画像を検査器の上方から一挙に視認することができる。
【手続補正８】
【補正対象書類名】明細書
【補正対象項目名】０００９
【補正方法】変更
【補正の内容】
【０００９】
光を照射するための光源からの光を下方に位置する被検査物に備えたホログラムに照射し、ホログラムからの異なる方向の反射光を取り込んで同一方向又はほぼ同一方向となる上方へ屈折させるための反射型プリズムをケースに備えさせるだけで、ホログラムの複数の画像をケースの上方から迅速かつ確実に視認することができ、ホログラムを備えた被検査物の真偽のための検査を迅速かつ確実に行える。しかも、センサやスイッチ部などが不要になり、コストの低減を図ることができる。
【手続補正９】
【補正対象書類名】明細書
【補正対象項目名】００１０
【補正方法】変更
【補正の内容】
【００１０】
光源からの光を反射型プリズムの水平方向一端から他端に向けて照射するために光源を配置し、反射型プリズムの他端から水平方向に延びる延出部を設け、延出部の下面に光反射部を備え、かつ、延出部の上面に対応するケースの部位に光透過部を備えることによって、延出部の上方に被検査物を配置することで被検査物の透かしをも確認することができ、被検査物の真偽検査をさらに確実に行うことができる。
【手続補正１０】
【補正対象書類名】明細書
【補正対象項目名】００１１
【補正方法】変更
【補正の内容】
【００１１】
光源が白色の発光ダイオードからなり、発光ダイオードに電力供給を行う電池を収納する電池収納部をケースに備えさせることによって、どこにでも検査器を持っていって被検査物の真偽検査を行うことができる。
【手続補正書】
【提出日】平成18年9月5日(2006.9.5)
【手続補正１】
【補正対象書類名】特許請求の範囲
【補正対象項目名】請求項１
【補正方法】変更
【補正の内容】
【請求項１】
光源と、
反射型プリズムと、
前記光源及び前記反射型プリズムを内部に格納しているケースとを備え、
前記反射型プリズムが前記光源からの光を反射して前記反射型プリズムの下面から出射し、
前記反射型プリズムの下面から出射した光が前記反射型プリズムの下方に位置する被検査物のホログラムに照射されると、前記反射型プリズムが、前記ホログラムからの２方向の反射光を前記反射型プリズムの下面から取り込んで、一方の反射光を屈折して前記反射型プリズムの第１の屈折面から出射し、他方の反射光を屈折して前記反射型プリズムの第２の屈折面から出射し、前記反射型プリズムの第１の屈折面からの出射光の方向と前記反射型プリズムの第２の屈折面からの出射光の方向とが前記反射型プリズムの上方となり互いに同一方向又はほぼ同一方向となることを特徴とする検査器。
【手続補正２】
【補正対象書類名】特許請求の範囲
【補正対象項目名】請求項２
【補正方法】変更
【補正の内容】
【請求項２】
前記反射型プリズムの水平方向一端に対して前記光源から入射された光が、一部は反射して前記反射型プリズムの下面から出射し、一部は前記反射型プリズムの水平方向他端から出射するように該光源を配置し、
前記反射型プリズムの水平方向他端から水平方向に延びる延出部を前記ケース内に設け、前記延出部の下面に光反射部を備え、かつ、該延出部の上面に対応する前記ケースの部位に光透過部を備えてなる請求項１に記載の検査器。
【手続補正３】
【補正対象書類名】明細書
【補正対象項目名】０００１
【補正方法】変更
【補正の内容】
【０００１】
本発明は、紙幣に備える凹凸状に形成されたホログラムに光を照射し、そのホログラムからの２方向の反射光を取り込んでホログラムに形成されている２つの画像を上方から同時に視認することができるようにすることによって、紙幣の真偽を直ちに把握することができる紙幣検査器に関する。尚、ホログラムを備えるものであれば、紙幣以外の紙製又はプラスチック製のカードなどでもよい。
【手続補正４】
【補正対象書類名】明細書
【補正対象項目名】０００５
【補正方法】変更
【補正の内容】
【０００５】
本発明に係る検査器は、前述の課題解決のために、光源と、反射型プリズムと、前記光源及び前記反射型プリズムを内部に格納しているケースとを備え、前記反射型プリズムが前記光源からの光を反射して前記反射型プリズムの下面から出射し、前記反射型プリズムの下面から出射した光が前記反射型プリズムの下方に位置する被検査物のホログラムに照射されると、前記反射型プリズムが、前記ホログラムからの２方向の反射光を前記反射型プリズムの下面から取り込んで、一方の反射光を屈折して前記反射型プリズムの第１の屈折面から出射し、他方の反射光を屈折して前記反射型プリズムの第２の屈折面から出射し、前記反射型プリズムの第１の屈折面からの出射光の方向と前記反射型プリズムの第２の屈折面からの出射光の方向とが前記反射型プリズムの上方となり互いに同一方向又はほぼ同一方向となる構成とした。
被検査物の上方に検査器を配置することによって、光源からの光が反射型プリズムを介して被検査物のホログラムに照射し、ホログラムの凹凸面にて反射された複数の方向の反射光が反射型プリズムに取り込まれ、反射型プリズム同一方向又はほぼ同一方向となる上方へ屈折させられることにより、ホログラムの２つの画像を検査器の上方から一挙に視認することができる。
【手続補正５】
【補正対象書類名】明細書
【補正対象項目名】０００６
【補正方法】変更
【補正の内容】
【０００６】
前記反射型プリズムの水平方向一端に対して前記光源から入射された光が、一部は反射して前記反射型プリズムの下面から出射し、一部は前記反射型プリズムの水平方向他端から出射するように該光源を配置し、前記反射型プリズムの水平方向他端から水平方向に延びる延出部を前記ケース内に設け、前記延出部の下面に光反射部を備え、かつ、該延出部の上面に対応する前記ケースの部位に光透過部を備えてもよい。
【手続補正６】
【補正対象書類名】明細書
【補正対象項目名】０００９
【補正方法】変更
【補正の内容】
【０００９】
光を照射するための光源からの光を下方に位置する被検査物に備えたホログラムに照射し、ホログラムからの２方向の反射光を取り込んで同一方向又はほぼ同一方向となる上方へ屈折させるための反射型プリズムをケースに備えさせるだけで、ホログラムの２つの画像をケースの上方から迅速かつ確実に視認することができ、ホログラムを備えた被検査物の真偽のための検査を迅速かつ確実に行える。しかも、センサやスイッチ部などが不要になり、コストの低減を図ることができる。